【事件の表示】
　特願２００４−２９７８８２号「アースジョイントコネクタ」拒絶査定不服審判事件〔平成１８年　４月２７日出願公開、特開２００６−１１４２４５号〕について、次のとおり審決する。
【結　論】
　本件審判の請求は、成り立たない。
【理　由】
第１　手続の経緯  
　本願は、平成１６年１０月１２日の出願であって、平成２２年４月１３日付けで拒絶査定がなされ（発送日：同年４月２０日）、これに対し、同年６月７日に拒絶査定不服審判が請求されるとともに、その審判の請求と同時に手続補正がなされたものである。
　
第２　平成２２年６月７日付け手続補正についての補正却下の決定
〔補正却下の決定の結論〕  
　平成２２年６月７日付け手続補正（以下「本件補正」という。）を却下する。　  
　  
〔理由〕  
　１　本件補正発明  
　本件補正は、特許請求の範囲の請求項１について、補正前（平成２１年１０月６日付け手続補正書）に、
「【請求項１】
相手側のコネクタと嵌合可能なコネクタハウジングには平板状の端子金具が装着され、この端子金具は、相手側との接続がとられる複数のタブを突出させた接続部と、前記コネクタハウジングの外部に突出した状態で接地部に固着される取付部と、前記取付部と前記接続部との間に位置して前記コネクタハウジングの内部に埋設される装着部とを備え、
　前記取付部には二枚の板を折り重ねた二重板構造部が形成され、この二重板構造部は、前記コネクタハウジングの外部に臨み、かつ一部が前記コネクタハウジングの内部に埋め込まれており、
　前記接続部、前記装着部、及び前記取付部は、それぞれ前記相手側のコネクタとの嵌合方向に並んで配置され、
　前記複数のタブは、それぞれ前記嵌合方向と直交する方向に並んで配置され、
　前記二重板構造部は、前記装着部に連なる基板部と、前記基板部の側縁から嵌合方向と直交する方向に張り出す部分を内側へ折り返すことで前記基板部に重ね合わされる折り返し部とで構成されることを特徴とするアースジョイントコネクタ。」
　とあったものを、
　  
「【請求項１】
　相手側のコネクタと嵌合可能なコネクタハウジングには平板状の端子金具が装着され、この端子金具は、相手側との接続がとられる複数のタブを突出させた接続部と、前記コネクタハウジングの外部に突出した状態で接地部に固着される取付部と、前記取付部と前記接続部との間に位置して前記コネクタハウジングの内部に埋設される装着部とを備え、
　前記取付部には二枚の板を折り重ねた二重板構造部が形成され、この二重板構造部は、前記コネクタハウジングの外部に臨み、かつ一部が前記コネクタハウジングの内部に埋め込まれており、
　前記接続部、前記装着部、及び前記取付部は、それぞれ前記相手側のコネクタとの嵌合方向に並んで配置され、
　前記複数のタブは、それぞれ前記嵌合方向と直交する方向に並んで配置され、
　前記二重板構造部は、
　前記装着部に連な
り、ボルト通し孔が貫通して形成された
　前記基板部の
両
して互いの自由端同士を向かい合わせた形態とされ、その自由端に、前記ボルト通し孔と整合して、前記ボルト通し孔に挿入されたボルトの頭部で締め付けられる一対の切り欠きが形成された
　と補正（下線は補正箇所を示す。）するものである。
　
　上記補正は、願書に最初に添付した明細書の段落【００１８】及び段落【００２０】並びに図３ないし７を根拠として、基板部について「ボルト通し孔が貫通して形成された」と限定し、折り返し部について「折り返すことで前記基板部に重ね合わされる」を「折り返して互いの自由端同士を向かい合わせた形態とされ、その自由端に、前記ボルト通し孔と整合して、前記ボルト通し孔に挿入されたボルトの頭部で締め付けられる一対の切り欠きが形成された」と限定すると共に、「側縁」を「両側縁」としたものであり、かつ、補正前の請求項１に記載された発明と補正後の請求項１に記載される発明の産業上の利用分野及び解決しようとする課題が同一であるので、本件補正は、平成１８年法律第５５号改正附則第３条第１項によりなお従前の例によるとされる同法による改正前の特許法（以下「改正前特許法」という。）第１７条の２第４項第２号に掲げる特許請求の範囲の減縮を目的とするものに該当する。  
　  
　そこで、本件補正後の請求項１に記載された発明（以下「本件補正発明」という。）が特許出願の際独立して特許を受けることができるものであるか（改正前特許法第１７条の２第５項において準用する同法第１２６条第５項の規定に適合するか）否かについて検討する。 
　  
　２　刊行物
（１）刊行物１
　原査定の拒絶の理由に引用され、本願の出願前に頒布された特開２００４−１９２９９１号公報（以下「刊行物１」という。）には、図面と共に次の事項が記載されている。  
　  
　ア　段落【００１０】
「【００１０】
アースジョイントコネクタ１０は、同じく合成樹脂からなるコネクタハウジング１１を備えている。このコネクタハウジング１１は扁平なブロック状をなし、互いに反対側の面に相手コネクタとの嵌合面１２，１３を設定している。
一方の嵌合面１２には、図２に示すように、第１コネクタ３０Ａを嵌合可能な１個の第１嵌合凹部１５Ａが形成されている。第１嵌合凹部１５Ａの天井面には、第１コネクタ３０Ａのハウジング３１に設けられたロックアーム３６が挿入可能な溝１６、及び保護壁３７、リブ３８が挿入可能な溝１７がそれぞれ形成され、ロックアーム３６が挿入される溝１６には、図５に参照して示すようにロックアーム３６に形成されたロック孔３６Ａに嵌まるロック突部１８が形成されている。」 
　
　イ　段落【００１２】〜段落【００１４】
「【００１２】
コネクタハウジング１１内には、アース端子２０が装着されている。アース端子２０は、細長いバスバー２１がクランク状に３段に折り曲げ形成され、下段のバスバー２１については、図６の手前側の端縁から複数本のタブ２３が並んで突設され、中段と上段のバスバー２１では、両端縁からタブ２３が突設されている。また、下段のバスバー２１の自由端側には、取付孔２６が開口された幅広のアース板２５が、一段下がった状態で一体に形成されている。
【００１３】
このアース端子２０は、インサート成形によってコネクタハウジング１１内に装着されている。具体的には、一連に繋がった３段のバスバー２１が中間壁１４に埋設され、アース板２５はコネクタハウジング１１の一側面のうちの一方の嵌合面１２側に寄った位置の下部から外方に向けて突出している。
またタブ２３は、第１嵌合凹部１５Ａ側では、その奥面から２段に分かれて第１嵌合凹部１５Ａ内に突出している。反対側では、第２及び第４嵌合凹部１５Ｂ，１５Ｄについては奥面から３段に分かれ、第３嵌合凹部１５Ｃでは奥面から２段に分かれて突出している。
【００１４】
本実施形態に係るアースジョイントコネクタ１０の使用方法の一例は、以下のようである。
まず、第１嵌合凹部１５Ａに対して第１コネクタ３０Ａが嵌合され、ロックアーム３６のロック孔３６Ａにロック突部１８が嵌まることでロックされる。第１コネクタ３０Ａに収容された雌端子４１は、第１嵌合凹部１５Ａの奥面から突出した対応するタブ２３と嵌合接続される。
また、反対側の嵌合面１３の３個の第２ないし第４嵌合凹部１５Ｂ〜１５Ｄに対して、第２ないし第４コネクタ３０Ｂ〜３０Ｄが順次に嵌合され、それぞれ同様にロックされる。それに伴い、各コネクタ３０Ｂ〜３０Ｄに収容された雌端子４１は、嵌合凹部１５Ｂ〜１５Ｄの奥面から突出した対応するタブ２３と嵌合接続される。
最後に、アース端子２０のアース板２５を車両のボディ等のアース用部材にボルト４５（図１参照）で締め付けて固定する。
これによって、各相手コネクタ３０Ａ〜３０Ｄに収容された雌端子４１、ひいてはそれに接続されたアース用電線４０が、アース端子２０を介してアースに落とされる。」
　
　ウ　図１ないし４及び６には、アース板２５がバスバー２１に連なること、アース板２５にはボルト４５が貫通する取付孔２６が設けられた板状の部分があり、当該板状の部分の周縁の一部が上方へわずかに屈曲すること、アース板２５がコネクタハウジング１１の外部に臨み、コネクタハウジング１１との境界において、前記屈曲した部分の一部がコネクタハウジング１１の内部に埋め込まれることが開示されている。
　
　エ　図３ないし６には、複数のタブ２３及びバスバー２１は、それぞれ相手側のコネクタとの嵌合方向に並んで配置され、アース板２５は前記嵌合方向に直交して配置されることが開示されている。
　
　オ　図１には、アース板２５の取付孔２６に挿入されたボルト４５の頭部がアース板２５の板状の部分に係止されることが開示されている。
　
　これらの記載事項及び図示内容を総合し、本件補正発明の記載ぶりに則って整理すると、刊行物１には、次の発明（以下「刊行物１に記載された発明」という。）が記載されている。  
　  
「相手側のコネクタと嵌合可能なコネクタハウジング１１にはアース端子２０が装着され、このアース端子２０は、相手側との接続がとられる複数のタブ２３を突出させ、前記コネクタハウジング１１の外部に突出した状態でアース用部材に固着されるアース板２５と、前記アース板２５と前記複数のタブ２３との間に位置して前記コネクタハウジング１１の内部に埋設されるバスバー２１とを備え、
　前記アース板２５の板状の部分の周縁の一部が上方へわずかに屈曲し、アース板２５はコネクタハウジング１１の外部に臨み、かつ屈曲した部分の一部がコネクタハウジング１１の内部に埋め込まれ、
　前記複数のタブ２３、前記バスバー２１は、それぞれ前記相手側のコネクタとの嵌合方向に並んで配置され、前記アース板２５は前記嵌合方向に直交して配置され、
　前記複数のタブ２３は、それぞれ前記嵌合方向と直交する方向に並んで配置され、
　前記アース板２５は、
　前記バスバー２１に連なり、ボルト４５が係止する取付孔２６が貫通して形成された板状の部分と、
　前記板状の部分の周縁の一部が上方へわずかに屈曲した部分とで構成されるアースジョイントコネクタ１０。」
　
（２）刊行物２
　原査定の拒絶の理由に引用され、本願の出願前に頒布された特開２０００−１５００３８号公報（以下「刊行物２」という。）には、図面と共に次の事項が記載されている。  
　  
　ア　段落【０００１】〜段落【０００３】
「【０００１】
【発明の属する技術分野】本発明は、インサート成形コネクタに用いられる端子金具に関する。
【０００２】
【従来の技術】インサート成形コネクタの一例として、特開平１０−１２３１９号公報に記載されたものが知られている。このものは、図１４に示すように、導電性の金属板４の両側縁５を合わせるように折り重ねてなる二重構造の細長いタブ２を設けた雄側端子金具１を備えていて、この雄側端子金具１を金型内にセットしてキャビティに合成樹脂材を注入することにより、各タブ２の根元部分３を区画壁８で埋設したフード付きのハウジング７が形成されている。なお区画壁８の両側には、あとから別の合成樹脂材を充填して防水性を確保している。
【０００３】
【発明が解決しようとする課題】ところで雄側端子金具１のタブ２は、相手のコネクタと嵌合された場合に雌側端子金具に差し込まれて接続されるものであるから、所定の強度が必要であり、そのため上記のように、金属板４の両側縁５を合わせるように折り重ねてなる二重構造とされている。しかるに従来のものでは、特に区画壁８を形成する部分でタブ２の合わせ目６の回りに合成樹脂材が注入されるようになっているため、合わせ目６を通って合成樹脂材が先端側まで侵入して、タブ２の露出した先端側に合成樹脂材が付着した状態となるおそれがあった。そうすると、付着した合成樹脂材が汚れとなって外観が悪くなるばかりか、相手の雌側端子金具との間で接触不良を招くおそれもあった。本発明は上記のような事情に基づいて完成されたものであって、端子金具の合わせ目に樹脂が侵入するのを防ぐことを目的とするものである。」
　
　イ　図１４において、相手のコネクタとの嵌合方向が紙面上左右方向であることが明らかであり、タブ２が金属板４を折り重ねて二重構造となっているから、同図には、二重構造が、下側の金属板４と、前記下側の金属板４の側縁から嵌合方向と直交する方向に張り出す部分を内側へ折り返すことで前記下側の金属板４に重ね合わされる上側の金属板４とで構成されることが開示されている。
　
　これらの記載事項及び図１４からみて、刊行物２には、次の発明（以下「刊行物２に記載された発明」という。）が記載されている。 
　
「タブ２には、上下二枚の金属板４を折り重ねた二重構造が形成され、
　この二重構造は、ハウジング７の外部に臨み、かつタブ２の根元部分３がハウジング７の区画壁８内に埋設しており、
　前記二重構造は、下側の金属板４と、前記下側の金属板４の両側縁から嵌合方向と直交する方向に張り出す部分を内側へ折り返すことで前記下側の金属板４に重ね合わされる上側の金属板４とで構成されるインサート成形用端子金具。」
　
（３）刊行物３
　原査定の拒絶の理由に引用され、本願の出願前に頒布された特開２００３−１２３８６５号公報（以下「刊行物３」という。）には、図面と共に次の事項が記載されている。  
　  
　ア　段落【０００８】前半
「【０００８】本アース端子１１は、導電性金属材料からなる１枚の板状体を所定形状に打ち抜いた後、曲げ加工を施して成形される。本アース端子１１は、ボルト締結部１２と、その後部に該ボルト締結部１２と一体に形成された電線接続部１３を有する。ボルト締結部１２にはボルト貫通穴１４が形成されている。」
　
　この記載事項及び図１及び２からみて、刊行物３には、次の発明（以下「刊行物３に記載された発明」という。）が記載されている。 
　
　アース端子１１のボルト締結部１２は二枚の板を折り重ねた構造であって、二枚の板にはボルト貫通穴１４が整合するように設けられたアース端子１１。
　
（４）刊行物４
　本願の出願前に頒布された特開平８−２９３３３３号公報（以下「刊行物４」という。）には、図面と共に次の事項が記載されている。  
　  
　ア　段落【００５１】前半
「【００５１】尚、導電部とモールド部との２層構造にする他、図１０に示すオスターミナル７２のように、導電材料によって、板状の主部７３と該主部７３の側縁に連続し主部７３の略半分の幅の補助部７４、７４とを一体に形成し、該補助部７４、７４を主部７３の上に折り重ねるようにしても良い。７５は抜け止め用の係合孔である。」
　
　イ　図１０には、主部７３に孔が貫通して形成されること、主部７３の両側縁から張り出す部分を内側へ折り返して互いの端部同士を向かい合わせた形態とされた補助部７４が、端部に主部７３に貫通して形成された孔と整合して、一対の半月状の切り欠きを形成することが開示されている。
　
　これらの記載事項及び図１０からみて、刊行物４には、次の発明（以下「刊行物４に記載された発明」という。）が記載されている。 
　
「主部７３に、該主部７３の側縁に連続し主部７３の略半分の幅の補助部７４を主部７３の上に折り重ねる構造は、
　孔が貫通して形成された主部７３と、
　前記主部７３の両側縁から張り出す部分を内側へ折り返して互いの端部同士を向かい合わせた形態とし、その端部に、前記孔と整合して、一対の切り欠きが形成された補助部７４とで構成されるオスターミナル。」
　
　３　対比  
　本件補正発明と刊行物１に記載された発明とを対比すると、刊行物１に記載された発明の「コネクタハウジング１１」は本件補正発明の「コネクタハウジング」に相当し、以下同様に、「アース端子２０」は「端子金具」に、「タブ２３」は「タブ」に、「複数のタブ２３」は、全体としてみると、バスバー２１から突出し相手側のコネクタと嵌合接続するから、「接続部」に、「アース用部材」は「接地部」に、「アース板２５」は「取付部」に、アース板２５の「板状の部分」は「基板部」に、「バスバー２１」は「装着部」に、「ボルト４５」は「ボルト」に、「取付孔２６」は「ボルト通し孔」に、「アースジョイントコネクタ１０」は「アースジョイントコネクタ」にそれぞれ相当する。
　
　そして、本件補正発明の「二重板構造部」が、取付部において二枚の板を折り重ねて形成したものであるから、刊行物１に記載された発明の「アース板２５」と本件補正発明の「二重板構造部」とは、取付部という限りで共通する。　
　また、刊行物１に記載された発明の「板状の部分の周縁の一部が上方へわずかに屈曲した部分」と本件補正発明の「折り返し部」とは、基板部の側縁の屈曲部という限りで共通する。
　
　したがって、両者は、 
「相手側のコネクタと嵌合可能なコネクタハウジングには端子金具が装着され、この端子金具は、相手側との接続がとられる複数のタブを突出させた接続部と、前記コネクタハウジングの外部に突出した状態で接地部に固着される取付部と、前記取付部と前記接続部との間に位置して前記コネクタハウジングの内部に埋設される装着部とを備え、
　前記複数のタブは、それぞれ前記嵌合方向と直交する方向に並んで配置され、
　前記取付部は、
　前記装着部に連なり、ボルト通し孔が貫通して形成された基板部と、
　前記基板部の側縁の屈曲部とで構成されるアースジョイントコネクタ。」
　である点で一致し、以下の点で相違している。
　
〔相違点１〕
　本件補正発明は、「平板状の」端子金具であって、「前記接続部、前記装着部、及び前記取付部は、それぞれ前記相手側のコネクタとの嵌合方向に並んで配置され」るのに対し、
　刊行物１に記載された発明は、接触部及び装着部は、相手側のコネクタとの嵌合方向に並んで配置され、取付部は前記嵌合方向に直交して配置される点。
　
〔相違点２〕
　本件補正発明は、「前記取付部には二枚の板を折り重ねた二重板構造部が形成され、この二重板構造部は、前記コネクタハウジングの外部に臨み、かつ一部が前記コネクタハウジングの内部に埋め込まれており」、「前記二重板構造部は」、基板部と「前記基板部の両側縁から嵌合方向と直交する方向に張り出す部分を内側へ折り返し」た「折り返し部」とで構成されるのに対し、
　刊行物１に記載された発明は、取付部の基板部の周縁の一部が上方へわずかに屈曲し、取付部はコネクタハウジングの外部に臨み、かつ屈曲した部分の一部がコネクタハウジングの内部に埋め込まれており、取付部は基板部と前記基板部の周縁の一部が上方へわずかに屈曲した部分とで構成される点。
　
〔相違点３〕
　本件補正発明は、折り返し部が「互いの自由端同士を向かい合わせた形態とされ、その自由端に、前記ボルト通し孔と整合して、前記ボルト通し孔に挿入されたボルトの頭部で締め付けられる一対の切り欠きが形成され」るのに対し、
　刊行物１に記載された発明は、かかる構成を備えていない点。
　
　４　当審の判断
　そこで、各相違点について検討する。
（１）相違点１
　本願の出願前に、平板状のアース用の端子金具において、接続部、装着部、及び取付部をそれぞれ相手側のコネクタとの嵌合方向に並んで配置することは、周知（例えば、実願昭６２−１０４０３２号（実開昭６４−９３６６号）のマイクロフィルムの第４図、特開平１０−２６１４５６号公報の図１１参照。）である。
　
　そうしてみると、刊行物１に記載された発明の接触部、装着部及び取付部を、前記周知の技術事項に基づいて、相違点１に係る本件補正発明の特定事項となるよう変更することは、当業者が容易に想到し得たことである。
　
（２）相違点２
　本件補正発明と刊行物２に記載された発明とを対比すると、刊行物２に記載された発明の「タブ２」は本件補正発明の「タブ」に相当し、以下同様に、「上下二枚の金属板４」は「二枚の板」に、「上下二枚の金属板４を折り重ねた二重構造」は「二枚の板を折り重ねた二重板構造部」に、「ハウジング７」は「コネクタハウジング」に、「タブ２の根元部分３」は「一部」に、「ハウジング７の区画壁８内」は「コネクタハウジングの内部」に、「下側の金属板４」は「基板部」に、「上側の金属板４」は「折り返し部」に、「インサート成形用端子金具」は「端子金具」に、それぞれ相当する。
　
　そうすると、刊行物２に記載された発明は、「タブには、二枚の板を折り重ねた二重板構造部が形成され、この二重板構造部は、コネクタハウジングの外部に臨み、かつ一部がコネクタハウジングの内部に埋め込まれ、前記二重板構造部は、基板部と、前記基板部の両側縁から嵌合方向と直交する方向に張り出す部分を内側へ折り返すことで前記基板部に重ね合わされる折り返し部とで構成される端子金具。」と言い換えることができる。
　
　そして、刊行物２に記載された発明の「二重構造部」は、タブが相手のコネクタと嵌合する場合、所定の強度が必要であるために形成されたものである。（前記第２の２（２））
　
　一方、刊行物１に記載された発明の取付部が「基板部の周縁の一部が上方へわずかに屈曲し」「屈曲した部分の一部がコネクタハウジングの内部に埋め込まれる」構造であるのは、取付部に所定の強度を与えるためであることが明らかである。
　
　刊行物１に記載された発明の「取付部」と刊行物２に記載された発明の「タブ」とは、端子金具を構成する部分であって、所定の強度を得るために、基板部の側縁を屈曲させ、その一部をコネクタハウジングに埋め込む点で共通する。　
　
　また、刊行物３に記載された発明は、ボルト締結部１２を二枚の板を折り重ねた構造とするアース端子１１に関するものである。
　
　そうしてみると、刊行物１に記載された発明の「取付部」に、強度を確保するために、刊行物３に記載された発明も踏まえ、刊行物２に記載された発明の「タブ」の構造を適用し、相違点２に係る本件補正発明の特定事項とすることは、当業者が容易になし得たことである。
　
（３）相違点３
　本件補正発明と刊行物４に記載された発明とを対比すると、刊行物４に記載された発明の「主部７３」、「補助部７４」、「端部」、「オスターミナル」は、本件補正発明の「基板部」、「折り返し部」、「自由端」、「タブ」にそれぞれ相当し、同「主部７３に、該主部７３の側縁に連続し主部７３の略半分の幅の補助部７４を主部７３の上に折り重ねる構造」は同「二重板構造部」に相当する。
　
　そうすると、刊行物４に記載された発明は、「二重板構造部は、孔が貫通して形成された基板部と、前記基板部の両側縁から張り出す部分を内側へ折り返して互いの自由端同士を向かい合わせた形態とし、その自由端に、前記孔と整合して、一対の切り欠きが形成された折り返し部とで構成されるタブ。」と言い換えることができる。　
　
　刊行物４に記載された発明と刊行物２に記載された発明とは、二重板構造部を有する端子金具のタブにおいて、二重板構造部が基板部と前記基板部の両側縁から張り出す部分を内側へ折り返した折り返し部とで構成される点で共通する。
　
　したがって、先に述べた、刊行物１に記載された発明に、刊行物２に記載された発明を適用するにあたって、刊行物４に記載された発明の二重板構造部の構造をさらに組み合わせることに、格別の困難性はない。
　
　その際、刊行物４に記載された発明の「孔」が「ボルト通し孔」となり、同「一対の切り欠き」が「ボルト通し孔に挿入されたボルトの頭部で締め付けられる」ことは、当業者が容易に把握し得たことである。
　
　そうしてみると、刊行物１に記載された発明に、刊行物２ないし４に記載された発明に基づいて、相違点３に係る本件補正発明の特定事項とすることは、当業者が容易になし得たことである。
　
　また、全体としてみても、本件補正発明の奏する効果は、刊行物１ないし４に記載された発明及び前記周知の技術事項の組み合わせによって必然に生じるものであって、格別のものでない。
　
　したがって、本件補正発明は、刊行物１ないし４に記載された発明及び前記周知の技術事項に基いて当業者が容易に発明をすることができたものであるので、特許法第２９条第２項の規定により、特許出願の際独立して特許を受けることができない。　  
　  
　５　むすび  
　以上のとおりであるから、本件補正は、改正前特許法第１７条の２第５項において準用する同法第１２６条第５項の規定に違反するので、同法第１５９条第１項において読み替えて準用する同法第５３条第１項の規定により却下すべきものである。  
　  
第３　本願発明  
　１　本願発明  
　本件補正は上記のとおり却下されたので、本願の請求項１ないし３に係る発明は、平成２１年１０月６日付けの手続補正書により補正された特許請求の範囲の請求項１ないし３に記載された事項により特定されたとおりのものであるところ、その請求項１に係る発明（以下「本願発明」という。）は、前記「第２〔理由〕１」に補正前の請求項１として記載したとおりのものである。
  　  
　２　刊行物  
　原査定の拒絶の理由に引用した刊行物の記載事項及び刊行物に記載された発明は、前記「第２〔理由〕２」に記載したとおりである。  
　  
　３　対比及び当審の判断  
　本願発明は、前記「第２〔理由〕」で検討した本件補正発明において、基板部についての「ボルト通し孔が貫通して形成された」との限定を省き、折り返し部についての「折り返して互いの自由端同士を向かい合わせた形態とされ、その自由端に、前記ボルト通し孔と整合して、前記ボルト通し孔に挿入されたボルトの頭部で締め付けられる一対の切り欠きが形成された」を「折り返すことで前記基板部に重ね合わされる」とし、「両側縁」を「側縁」としたものである。　 
　  
　そうしてみると、本願発明と刊行物１に記載された発明との間には少なくとも相違点３は存在せず、したがって、実質的に本願発明の発明特定事項をすべて含んだものに相当する本件補正発明が、前記「第２〔理由〕３及び４」に記載したとおり、刊行物１ないし４に記載された発明及び前記周知の技術事項に基いて当業者が容易に発明をすることができたものであるから、本願発明も、同様に、刊行物１ないし３に記載された発明及び前記周知の技術事項に基いて当業者が容易に発明をすることができたものである。  
　  
　４　むすび  
　以上のとおりであるから、本願発明は、刊行物１ないし３に記載された発明及び前記周知の技術事項に基いて当業者が容易に発明をすることができたものであるから、特許法第２９条第２項の規定により特許を受けることができない。 　  
　
　したがって、本願のその他の請求項に係る発明について検討するまでもなく、本願は拒絶すべきものである。  
　  
　よって、結論のとおり審決する。